(57)【特許請求の範囲】
【請求項１】
透明な石（１）の内部に三次元像を形成する方法であって、
前記透明な石（１）の内部を彫刻することによって、空所を形成し外殻（１．１）を残す加工段階と、
前記外殻（１．１）の内接面に少なくとも１種の意匠を形成する加工段階と、
前記外殻（１．１）の内接面に少なくとも１層の透明充填層（２）を作製する加工段階と、
前記充填層（２）の内接面に少なくとも１種の意匠を形成する加工段階と、
目的とする意匠にあわせて前記充填層（２）の内接面に意匠及び充填層（２）を順次重ねていくことを繰り返して多層表現された意匠を形成する加工段階と、
少なくとも１個の立体物（５）を一番下の前記充填層（２）の内接面に接合する加工段階と、
石（１）の下部を閉じる加工段階とを含むことを特徴とする方法。
【請求項２】
前記意匠が、彫刻によって前記外殻（１．１）の内接面に形成された少なくとも１種のエングレービング（３）である、請求項１に記載の透明な石（１）の内部に三次元像を形成する方法。
【請求項３】
前記意匠が、エンボス加工によって前記外殻（１．１）の内接面に形成された少なくとも１種のレリーフ（４）である、請求項１又は２に記載の透明な石（１）の内部に三次元像を形成する方法。
【請求項４】
前記意匠が、彫刻によって前記充填層（２）の内接面に形成された少なくとも１種のレリーフ（３）である、請求項１〜３のいずれか一項に記載の透明な石（１）の内部に三次元像を形成する方法。
【請求項５】
前記意匠が、エンボス加工によって前記充填層（２）の内接面に形成された少なくとも１個のレリーフ（４）である、請求項１〜４のいずれか一項に記載の透明な石（１）の内部に三次元像を形成する方法。
【請求項６】
前記レリーフ（４）が、厚みと色を形成する塗料被覆である、請求項１〜５のいずれか一項に記載の透明な石（１）の内部に三次元像を形成する方法。
【請求項７】
透明な石（１）の内部に三次元像を形成する方法であって、
立体物（５）の内部を彫刻することによって、少なくとも１個の空所（５．１）を形成する加工段階と、
前記立体物（５）の内接面に少なくとも１個の充填内側図形（５．２）を作製する加工段階と、
前記立体物（５）の内接面に少なくとも１層の透明充填層（２）を作製する加工段階と、
内部が加工された立体物（５）を、前記透明な石（１）の内部を彫刻することによって形成された前記外殻（１．１）の内接面に接合する加工段階とを含むことを特徴とする方法。
【請求項８】
透明な石（１）の内部に三次元像を形成する方法であって、
立体物（５）の外接面に少なくとも１個の充填外側図形（５．３）を作製する加工段階と、
前記立体物（５）の外接面に少なくとも１層の透明充填層（２）を作製する加工段階と、
前記被覆した立体物（５）を、前記透明な石（１）の内部を彫刻することによって形成された外殻（１．１）の内接面に接合する加工段階とを含むことを特徴とする方法。
【発明の詳細な説明】
【技術分野】
【０００１】
本発明は、透明な石内部への画像形成方法に関する。
【０００２】
本発明は、詳細には、宝飾品に使用されている宝石(precious stones)及び／又はアクセサリ内部に様々な図形を三次元で形成する方法に関する。
【背景技術】
【０００３】
透明な石の内部に様々なデザイン、絵画、及び図形による画像を形成するために、種々の石の内部や表面を加工する実施態様が実現されてきた。この加工は、最も簡単な方法は、石の上にデザインや着色被覆を付与することにより行われる。別の実施形態は、透明な石の内部に行われる加工に関する。適用される別の方法は、石の内部を加工して画像を外側に提供する。この方法には、適用に関して幾つかの問題がある。石の内部を切削すると石が破損する危険がある。石の内部を除去する際には、常に、石の破壊や強度低下などの恐れがある。最新式の加工部材を使用したとしても、石の内部の加工は容易でない。前記適用の一例が「石内部における彫像法」（「Process for sculpture processing in stone」）と題する特許文献１に開示されている。この出願は、石の内部を彫刻することと、特別の方法を用いて内部を除去することと、空所を塗装した後で充填材料を充填することとを含む方法を開示している。加工の段階は、機械的方法を使用して所望の構造に応じて宝石の下側部分を削剥（erode）することによって空所を作る段階と、削剥して開けた空所を、単純な仕方ではそのままにしておくか又は適切な塗料によって着色塗装する段階と、塗装が完了した石の空所領域を、石の硬度に近い硬度の充填材料を使用することにより充填する段階の三段階からなる。
【０００４】
前記技法及び適用例は、石の内部又は石の上に二次元像を形成するためのものである。公知の技法の適用では、石の上又は石の内部に三次元像を形成することができない。像を形成する技術の進歩により、深さのない二次元像の代わりに三次元像を形成することができるようになった。石の上又は石の内部に三次元像を形成することは、アクセサリに本物の効果にきわめて近い効果を提供することを可能にし、消費者の好みを決定する一要素となる。三次元の像や奥行きを作り出すため、石の内部において外に向う段階的彫刻を行い、これにより三次元像を作出することができる。本物の外観に非常に近いとまではいえなくとも、奥行きを提供することができる。このような像は単一の部材に対して作るものであろうとはいえ、互いに独立した複数の対象物の複数の像の場合には、段階的彫刻ではやはり不適切である。
【０００５】
本発明は、前記欠点を解消し、三次元を有する宝飾品アクセサリを製造することを目的とする。
【先行技術文献】
【特許文献】
【０００６】
【特許文献１】トルコ特許出願２００６０７１１７号明細書
【発明の概要】
【発明が解決しようとする課題】
【０００７】
関連技術の現状に鑑み、本発明の目的は、特に宝飾品において使用される宝石及び／又はアクセサリの内部に様々な三次元図形を作出するために使用される製造方法を改善することによって既存の欠点をなくすことである。
【０００８】
本発明の別の目的は、指輪、ブレスレット、ネックレス、イヤリング、ブローチ、カフスボタンなど、任意の宝飾品や装飾資産の所望の部分に接合された本物のように見える像の詳細な像を作り出す石加工方法を開示することである。本発明の更に他の目的は、視覚的深さを向上させることである。本発明の別の目的は、図形や形状物、絵、デザインの、本物により近い視覚効果を提供することである。
【０００９】
本発明の別の目的は、様々なディテールを有する複雑な図形を提供することである。本発明の更に別の目的は、有色及び無色の像を提供することである。これにより、宝飾品の様々な代替品が提供される。従って、宝飾品アクセサリに適用されることが意図されていない図形の加工が可能になった。このように石にデザインを提供することによって、異質な材料の使用が防止される。これにより、宝飾品アクセサリの価値の低下が防止される。
【００１０】
前記目的を達成するために、本発明は、特に宝飾品及び宝石の分野で宝飾品やアクセサリとして使用される透明な石の内部に三次元像を形成する方法を提供する。
【課題を解決するための手段】
【００１１】
本発明の好ましい実施形態は、前記透明な石の内部に三次元像を形成するための方法であり、前記透明な石の内部を彫刻する加工段階と、石の内部に空所を形成し外殻を提供する加工段階と、前記外殻の内側の面に少なくとも１種のデザインを提供する加工段階と、前記外殻の内方の面に少なくとも１層の透明充填層を提供する加工段階と、前記充填層の内側の面に少なくとも１種のデザインを提供する加工段階と、前記充填層の内側の面に、デザインに従ってデザインと充填層を順次重ねていくことを繰り返してデザインする加工段階と、少なくとも１個の立体物を一番下の充填層の内接面に接合する加工段階と、石の下部を閉じる加工段階とを含む。
【図面の簡単な説明】
【００１２】
【図１ａ】図１ａは、内部が加工された石の実例を示す石の全体図である。
【図１ｂ】図１ｂは、図１ａの実施形態における石の彫刻形態を示す断面図である。
【図１ｃ】図１ｃは、図１ｂの実施形態において、石の彫刻形態部が層で覆われている断面図である。
【図１ｄ】図１ｄは、図１ｃの実施形態において、内部に加工層を備えた形態を有する石の断面図である。
【図２ａ】図２ａは、図１ａの実施形態の石及びこれに接合される立体物の全体図である。
【図２ｂ】図２ｂは、図１ｂの実施形態の内部に空所を有する石及びその石の内部に置かれる立体物の断面図である。
【図２ｃ】図２ｃは、図２ｂの実施形態の空所を有する石に適用された充填物と立体物の断面図である。
【図２ｄ】図２ｄは、図１ｃの実施形態の内側が充填され加工された石に適用された立体物の断面図である。
【図２ｅ】図２ｅは、外接面に充填層を有する加工された立体物の断面図である。この立体物は図１ｄと１ｅに示す実施形態の内側が充填され加工された石に接合されている。
【図２ｆ】内接面に充填層を有する加工された立体物の断面図である。この立体物は図１ｄと１ｅに示す実施形態の内側が充填され加工された石に接合されている。
【発明を実施するための形態】
【００１３】
図に示す本発明の適用例は、宝飾品に使用される宝石及び／又はアクセサリの内部に三次元の様々な図形を形成するために用いられる製造方法に関する。
【００１４】
図１ａ、図１ｂ、図１ｃ及び図１ｄに示す透明な石（１）の内部に三次元像を形成する方法に係る製造工程は、以下のとおりである。
【００１５】
すなわち、製造工程は、透明な石（１）の内部を彫刻する加工段階と、透明な石の内部に空所を形成して外殻（１．１）を提供する加工段階と、前記外殻（１．１）の内側の面に少なくとも１種のデザインを提供する加工段階と、前記外殻（１．１）の内側の面に少なくとも１層の透明な充填層（２）を提供する加工段階と、前記充填層（２）の内側の面に少なくとも１種のデザインを提供する加工段階と、前記充填層（２）の内側の面に、デザインに従ってデザイン及び充填層（２）を順次重ねていくことを繰り返してデザインする加工段階と、１個の立体物（５）を一番下の前記充填層（２）の内接面に接合する加工段階と、石（１）の下部を閉じて製造を完了する加工段階とを含む。空所（５．１）の内部に適用される立体物（５）は、石（１）に応じ、好都合な様々な色及び像デザインで提供され得る。
【００１６】
デザイン加工は、外殻（１．１）の内接面の彫刻によって形成されたエングレービング（３）である（図１ｃ）。デザイン加工は、外殻（１．１）の内接面にエンボス加工によって形成されたレリーフ（４）である（図１ｃ）。
【００１７】
デザイン加工は、充填層（２）の内接面の彫刻によって形成するエングレービング（３）である。デザイン加工は、充填層（２）の内接面にエンボス加工によって形成するレリーフ（４）である。レリーフ（４）は、厚みと色を提供する塗装層である。
【００１８】
図２ａと図２ｂは上とは異なる製造方法を示し、石（１）の内部に三次元像の立体物（５）を提供するものである。
【００１９】
図２ａ、図２ｂ、図２ｃ及び図２ｄに示す透明な石（１）は、透明な石（１）の内部を彫刻し、空所を形成して外殻（１．１）を残し、外殻（１．１）の内接面に透明充填層（２）を提供し、立体物（５）を充填層（２）の内接面に接合することによって形成される。立体物（５）は、三次元図形である。
【００２０】
図２ｄ、図２ｅ及び図２ｆに示す立体物（５）は、これが様々な加工に付されたとき、石（１）の中で図形を完成させることができる。図２ｂと図２ｆに示す方法に係る加工段階は、立体物（５）の内部を彫刻する段階と、空所（５．１）を形成する段階と、立体物（５）の内接面に充填内側図形（５．２）を提供する段階と、立体物（５）の内接面に透明充填層（２）を提供する段階と、内側部分を加工した立体物（５）を外殻（１．１）の内接面に接合する段階とを含む。立体物（５）の内部に図形を形成する場合、立体物（５）は、透明材料によりデザインされる。充填材料によって空所（５．１）が補強され、石（１）の下面が覆われる。空所（５．１）の内部に適用される充填材料は、石（１）に応じ、好都合な様々な色及び像デザインで提供されることができる。
【００２１】
図２ａと図２ｅに示す立体物（５）は、これが様々な加工に付されたとき、石（１）の中で図形を完成させることができる。一連の加工段階はそれぞれ、立体物（５）の外接面に充填外側図形（５．３）を提供する段階と、立体物（５）の外接面に透明充填層（２）を提供する段階と、被覆した立体物（５）を外殻（１．１）の内接面に接合する段階とを含む。
【００２２】
添付の特許請求の範囲の内の一項による、透明な石（１）の内部に三次元像を形成する方法は、充填層（２）が、奥行きを作り出すことができる透明材料であることを特徴とする。
【００２３】
図１ａ、図１ｂ、図１ｃ及び図１ｄに示す方法に係る段階
石に石の下部から所望の深さを有する空所を設けた後（図１ｂ）、形成された空所内の内側壁にレリーフを浮き彫りする。得られた彫刻図形を塗装し被覆剤を塗布した後で、この被覆上の第２の層として新しいエングレービングを提供し、次いで塗装する。上記加工を数回行なうことによって、石の内部の構造とエングレービングに三次元的奥行きが提供される。
【００２４】
図１ａ、図１ｂ、図１ｃ及び図１ｄに示す方法は、三つの段階を含む。段階１で、宝飾品は、機械的削剥方法によって、石の下部から都合のよい大きさと深さで空洞にされる（図１ｂ，図２ｂ）。段階２で、石の内部に所望の物体（立体物（５））が配置される（図２ｄ、図２ｅ、図２ｆ）。段階３で、物体（立体物（５））を配置した後に残っている隙間内に、石１の色と特徴に適した透明充填材料（充填層（２））が充填される（図２ｃ）。
【００２５】
石１の加工段階は、提供しようとする図形に合わせて内部を彫刻する段階と、図形に適した塗装を彫刻の内側に付与する段階と、彫刻を支持するように彫刻部を充填する段階とを含む。
【００２６】
三次元像を形成するに際して基本的なことは、任意の図形のオリジナル像を形成することである。石（１）の内側にネガ（negative）の図形が形成される。石（１）の内接面にネガの削剥が行われる。このようにして、削剥によって空所が提供される。削剥は繊細なので手で行うことが好ましい。これにより彫刻が実現される。内部体積の限度まで、できるだけ多く除去して使用する。石（１）の内側は、外殻（１．１）が残るように空洞にされる。
【００２７】
本発明の適用例では、掘削彫刻工具を使用することにより、宝石及び／又は準宝石（side precious stone）（１）（例えば、アメジスト色水晶、トルマリン、黄水晶、トパーズアクアマリン等）の一方の縁から内方に彫刻することによって、宝石の内部が、他方の縁に１層の薄い外殻（１．１）だけが残るように除去される。彫刻による内部の除去が完了した後で、任意の塗料とブラシを使用して、灯籠（lantern）にされた石の内接面に、任意の肖像画、風景、宗教的シンボル、単語、デビルアイ記号（devil eye symbol）、形状物(shape)、図形、パターン、絵等が描かれる。描かれた絵は、石の内部で行われる加工のトップ・コーティングとなる。次いで外殻（１．１）の内接面が、染料によって色付けされる。内部には、エングレービング（３）又はレリーフ（４）によって所望の像が提供される。レリーフ（４）は、塗装（図１ｃ）によって提供してもよい。図形細部の描写の必要性に応じて充填層（２）を適用して奥行きを提供することができる。充填層（２）は順番に(in an order)適用される。充填層（２）又は着色層にエングレービング（３）を行うことによって完全性が提供される。各充填層（２）上に異なる像と塗装（レリーフ（４））の加工が行われる。各充填層（２）上に像を作ることによって段階的な像(gradual image)が提供される。互いに接合された充填層（２）は、異なる影付けによって表されている（図１ｄ）。
【００２８】
製作された図形の例としては、互いに重なって飛んでいる鳥、舞っている蝶、建物に止まっている鳥と建物の上を飛んでいる鳥、開いた窓から見た家、モスク内の読書机に向っている導師、開いた窓から見える家の風景、容易にそれとわかる竜などが挙げられる。互いに重なっているある種の絵が、形成された像によって描き出されているとも言える。
【００２９】
内部を加工し層で形作られた石（１）の内部に残っている隙間を満たすことによって加工が終わる。立体物（５）に類似する石や鉱石によって支持が提供される（図２ｂ）。
【００３０】
加工される石（１）は、デザインの必要性に応じて透明又は不透明／艶消し色である。石（１）の材料は、様々な鉱物石やガラスとすることができる。加工は、任意の種類の石（１）に対して行うことができる。彫刻技法は石の種類に応じ、塗装及び充填技法によって行うことができる。
【００３１】
別の実施形態では、図形を、絵の形ではなく、彫刻されていない立体物（５）等、石（１）内の加工された材料として配置することができる。換言すると、図形を立体物（５）によって透明な石（１）の下部ベースに配置することができる。あるいは、立体物（５）上の図形の一部分を加工することによって、石（１）内の層で図形を補うことができる。立体物（５）は宝石でもよい。加工は、立体物（５）の内接面に行ってもよい。
【産業上の利用可能性】
【００３２】
形作られた石（１）は、宝飾品に挿入されるか取り付けて使用される。内部にネ着色又は無着色のネガティブ彫刻を備え、また上記説明に従って製作された石で装飾された製品は、任意の取付け・接着方法を使用することによって、指輪、ブレスレット、ネックレス、イヤリング、ブローチ、カフスボタンなどの任意の宝飾品及び装飾品の所望の部分に取り付けられる。
【００３３】
本発明は、この節で述べた実施形態に限定されることはない。特許請求の範囲に示す保護の範囲内にある基礎的要素に基づいて当業者が開発することができる代替的具体化は、本発明を侵害するものである。
【符号の説明】
【００３４】
１      石
１．１  外殻
２      充填層
３      エングレービング
４      レリーフ
５       立体物
５．１  空所
５．２  充填内側図形
５．３  充填外側図形
【図１ａ】
0005467153.tif 000002
【図１ｂ】
0005467153.tif 000003
【図１ｃ】
0005467153.tif 000004
【図１ｄ】
0005467153.tif 000005
【図２ａ】
0005467153.tif 000006
【図２ｂ】
0005467153.tif 000007
【図２ｃ】
0005467153.tif 000008
【図２ｄ】
0005467153.tif 000009
【図２ｅ】
0005467153.tif 000010
【図２ｆ】
0005467153.tif 000011